(57)【特許請求の範囲】
【請求項１】
錠と錠に対応する鍵を含む光学施錠機構において、前記錠は、鍵穴と、錠の施錠と解錠をコントロールする施錠ユニットと、施錠ユニットに連結する作動ユニットとを含み、該作動ユニットは、
鍵穴周囲に設け尚且つ施錠ユニットに連結するセンサーを含み、前記錠に対応する鍵は、錠の鍵穴内に差し込み、解錠ユニットを含み、該解錠ユニットは鍵の一端に設ける発光ユニットを含み、
発光ユニットには発光ユニットのオン及びオフをコントロールするスイッチを連結し、鍵は発光ユニットの他の一端方向に向けて導光部品及びエンコード用導光部品を連結し、  該導光部品上には光源経路を変え、尚且つエンコード用導光部品の伝える光源をセンサーに導き入れる反射板を設けることを特徴とする光学施錠機構。
【請求項２】
前記センサーの相対面箇所上にはセンサーに相互に対立する反射板を設け、鍵内の反射板によって反射される光源をセンサーに導き入れることを特徴とする請求項１に記載の光学施錠機構。
【請求項３】
前記発光ユニットは発光体と、発光体に連結する電池を含み、電池はスイッチと電気的に接続することを特徴とする請求項１に記載の光学施錠機構。
【請求項４】
前記発光体はＬＥＤ（発光ダイオード）或いはLaser（レーザー）或いはセンサーに判断を行わせる波長を提供する発光部品であることを特徴とする請求項３に記載の光学施錠機構。
【請求項５】
前記電池は薄膜太陽電池或いはリチウム電池であることを特徴とする請求項３に記載の光学施錠機構。
【請求項６】
前記施錠ユニットは機械式施錠或いは電磁式施錠とすることを特徴とする請求項１に記載の光学施錠機構。
【請求項７】
前記導光部品及びエンコード用導光部品は光ファイバーであることを特徴とする請求項３に記載の光学施錠機構。
【請求項８】
錠と錠に対応する鍵を含む光学施錠機構において、前記錠は、鍵穴と、錠の施錠と解錠をコントロールする施錠ユニットと、施錠ユニットに連結するセンサーと、鍵穴内に設置する発光ユニットを含み、
前記錠に対応する鍵は、錠の鍵穴内に差し込み、解錠ユニットを含み、該解錠ユニットは鍵の一端に設置する光反射及び波長多重モジュールを含み、
前記光反射及び波長多重モジュール上の他の一端方向に向かう発光ユニットの光源を受け取る入光用導光部品と、錠のセンサーと相互に対立する出光用導光部品をそれぞれ連結し、
光反射及び波長多重モジュール、入光用導光部品、出光用導光部品によって光回路を形成し、
前記光反射及び波長多重モジュール、或いは入光用導光部品、或いは出光用導光部品にはエンコード機能を備えることを特徴とする光学施錠機構。
【請求項９】
前記発光ユニットは発光体と発光体に連結する電池を含むことを特徴とする請求項８に記載の光学施錠機構。
【請求項１０】
前記発光体は、ＬＥＤ（発光ダイオード）、Laser（レーザー）或いは発光素子の波長を判断に利用できるセンサーであり、電池は薄膜太陽電池或いはリチウム電池であることを特徴とする請求項９に記載の光学施錠機構。
【請求項１１】
入光用導光部品及び出光用導光部品は光ファイバーであることを特徴とする請求項８に記載の光学施錠機構。
【請求項１２】
前記光反射及び波長多重モジュールは、光源を屈曲させるプリズムであることを特徴とする請求項８に記載の光学施錠機構。
【請求項１３】
前記入光用導光部品と出光用導光部品間には強化部を設けることを特徴とする請求項８に記載の光学施錠機構。
【発明の詳細な説明】
【技術分野】
【０００１】
本発明は、錠及び鍵間の光波信号の解読及び遮断を起こし難く、複製及び老朽化の問題がなく、効果的な盗難防止と低コストを実現する光学施錠機構に関する。
【背景技術】
【０００２】
一般の伝統的な錠は錠ケース、錠ケース内に納めるシリンダー、シリンダーに連動するデッドボルトにより構成される。錠を開ける鍵の二辺には異なる深さの溝を設け、錠を開ける時は、鍵をシリンダーの鍵穴内に差し込み回転させ、シリンダーによってデッドボルトを圧縮させて錠を開ける。
【０００３】
しかし、公知の錠及び鍵は金属材質によって製造され、尚且つ全ての機構を機械連動方式で錠内に設けている故、部品の過剰、組立て困難、コスト高等の欠点がある。また、錠の鍵は一般に扁平状で、このような形状の鍵やシリンダー、及び機械連動方式は市場で広く使用されている設計であるため、鍵は簡単に複製でき、人に解錠及び破壊され易く（鉄線或いはその他の扁平状の器具で錠を開くことができる）、錠には根本的に盗難防止効果はない。
【発明の概要】
【発明が解決しようとする課題】
【０００４】
本発明の主な目的は、錠及び鍵間の光波信号の解読及び遮断を起こし難く、複製及び老朽化の問題がなく、効果的な盗難防止と低コストを実現することにある。
【課題を解決するための手段】
【０００５】
前述の目的を達成するために、本発明の光学施錠機構は、施錠ユニット及びセンサーと反射板を有する作動ユニットを備えた錠と、錠に対応する鍵とを含む。鍵は少なくとも導光部品を備える解錠ユニットを含み、作動ユニットと解錠ユニットに光波信号のコミュニケーションを行わせ、感知及び判断確認後、作動ユニットによって施錠ユニットが解除される。
【０００６】
本発明の一実施例において、施錠ユニットは機械式施錠或いは電磁式施錠とする。
【０００７】
本発明の一実施例において、錠には少なくとも一つの鍵穴を設け、作動ユニットは、鍵穴周囲に設け尚且つ施錠ユニットに連結するセンサーと、センサーに対応する反射板とを含む。
【０００８】
本発明の一実施例において、錠には少なくとも一つの鍵穴を設け、作動ユニットは、鍵穴内に設ける発光ユニットと、施錠ユニットに連結するセンサーとを含む。
【０００９】
本発明の一実施例において、発光ユニットは、発光体と、発光体に連結する電池とを含み、該発光体はＬＥＤ（発光ダイオード）、Laser（レーザー）或いは発光素子の波長を判断に利用できるセンサーとしてもよく、電池は薄膜太陽電池或いはリチウム電池としてもよい。
【００１０】
本発明の一実施例において、解錠ユニットは鍵の一端に設ける発光ユニットと、鍵の一端に設け尚且つ発光ユニットに連結するスイッチと、発光ユニットに対応する導光部品と、鍵の他の一端に設ける複数のエンコード用導光部品と、導光部品とエンコード用導光部品間に設けるエンコード用反射板を含む。
【００１１】
本発明の一実施例において、発光ユニットは、発光体と、発光体に連結する電池とを含み、該発光体はＬＥＤ（発光ダイオード）、Laser（レーザー）或いは発光素子の波長を判断に利用できるセンサーとしてもよく、電池は薄膜太陽電池或いはリチウム電池としてもよい。
【００１２】
本発明の一実施例において、導光部品及びエンコード用導光部品は光ファイバーとしてもよい。
【００１３】
本発明の一実施例において、解錠ユニットは、鍵の一端に設ける光反射及び波長多重モジュールと、光反射及び波長多重モジュールの一端に対応させて設けた入光用導光部品と、光反射及び波長多重モジュールの一端に対応させて設けた出光用導光部品とを含む。
【００１４】
本発明の一実施例において、入光用導光部品と出光用導光部品は光ファイバーとしてもよい。
【００１５】
本発明の一実施例において、入光用導光部品と出光用導光部品間には強化部を設け、前記二つの導光部品間の物理性構造を強化する。
【００１６】
本発明の一実施例において、光反射及び波長多重モジュールは、進入する光源を屈曲させて反射するプリズムである。
【発明の効果】
【００１７】
本発明の光学施錠機構は、錠と鍵間の光波信号の解読及び遮断を起こし難く、複製及び老朽化の問題がなく、効果的な盗難防止と低コストを実現する効果を備える。
【図面の簡単な説明】
【００１８】
【図１】本発明の第一実施例図である。
【図２】本発明の第二実施例図である。
【発明を実施するための形態】
【００１９】
図１には本発明の第一実施例図を示す。図に示すとおり、本発明の光学施錠機構は、少なくとも錠１と鍵２により構成される。
【００２０】
前記錠１は施錠ユニット１１、及び施錠ユニット１１に連結する作動ユニット１２を含む。施錠ユニット１１は機械式錠と電磁式錠があり、錠１には少なくとも鍵穴１３を設け、作動ユニット１２は、鍵穴１３周囲に設け施錠ユニット１１に連結するセンサー１２１と、センサー１２１に対応する反射板１２２とを含み、反射板１２２には光源経路を変える効果を備える。
【００２１】
鍵２は錠１に対応し、少なくとも解錠ユニット２１を含む。該解錠ユニット２１は鍵２の一端に設ける発光ユニット２１１と、鍵２の一端に設け尚且つ発光ユニット２１１に連結するスイッチ２１２と、発光ユニット２１１に対応する導光部品２１３と、鍵２の他の一端に設ける複数のエンコード用導光部品２１４と、導光部品２１３とエンコード用導光部品２１４間に設けるエンコード用反射板２１５を含む。その内、発光ユニット２１１は発光体２１１１と、発光体２１１１に連結する電池２１１２とを含み、該発光体２１１１はＬＥＤ（発光ダイオード）、Laser（レーザー）或いは発光素子の波長を判断に利用できるセンサーとしてもよい。電池２１１２は薄膜太陽電池或いはリチウム電池としてもよく、該導光部品２１３及びエンコード用導光部品２１４は光ファイバーとしてもよく、導光部品２１３の構造は管体に制限されず、いずれの形状としてもよい。このように、前述の構造によって新規の光学施錠機構を構成する。
【００２２】
本発明を使用時には、鍵２を錠１の鍵穴１３内に差し込み、スイッチ２１２を押すと、発光ユニット２１１の電池２１１２が提供された発光体２１１１は発光し、光源を導光部品２１３からエンコード用反射板２１５に伝送し、並びに、エンコード用導光部品２１４によって異なる波長の光波が導き出される。この時、錠１の作動ユニット１２はセンサー１２１と反射板１２２の組み合わせにより前記光波を受け取り、並びに、センサー１２１を用いて解錠ユニット２１に対する感知と判断、確認を行った後、作動ユニット１２が施錠ユニット１１を解除し、錠を開く動作が完成する。施錠ユニット１１を解除する方式は、鍵２を回して機械方式で施錠ユニット１１を解除するか、或いは鍵２を用いてその他の電磁方式で施錠ユニット１１を解除できる。
【００２３】
また、鍵２の実物を鍵穴１３に差し込まずに、例えば光の屈折及び反射、或いは明暗対比等によるシミュレーション方式で、鍵穴１３内のセンサー１２１に対応させて施錠ユニット１１の解除を行うことも可能である。並びに、センサー１２１は、異なる光波屈折或いは反射率を用い、異なる暗証番号の組み合わせてのコントロール（この組み合わせは0/1表示のスイッチとしてもよい）を行い、施錠ユニット１１の解除メカニズムとする。
【００２４】
また、前記実施形態における錠１の作動ユニット１２は、鍵穴１３周囲縁に設け、尚且つ施錠ユニット１１に連結するセンサー１２１を含み、反射板１２２の設置をせずに、鍵２のエンコード用導光部品２１４に生じた光源を直接センサー１２１内に導入だけで、センサー１２１の感知及び判断を通して、解錠する目的を果たす。
【００２５】
図２には本発明の第二実施例図を示す。図に示すとおり、本発明は、前記第一実施例で開示した構造設計の他、第二実施例の構造形態としてもよい。二実施例の相違箇所は、施錠ユニット１１ａに少なくとも一つの鍵穴１３ａを設け、作動ユニット１２ａには鍵穴１３ａ内に設ける発光ユニット１２３ａと、施錠ユニット１１ａに連結するセンサー１２４ａを含むことにある。その内、発光ユニット１２３ａは発光体１２３１ａと、発光体１２３１ａに連結する電池１２３２ａを含み、発光体１２３１ａはＬＥＤ(発光ダイオード)、Laser（レーザー）或いは発光素子の波長を判断に利用できるセンサーとしてもよく、該電池１２３２ａは薄膜太陽電池或いはリチウム電池としてもよい。また、解錠ユニット２１ａには鍵２ａの一端に設けた光反射及び波長多重モジュール２１６ａと、光反射及び波長多重モジュール２１６ａの一端に対応させて設けた入光用導光部品２１７ａと、光反射及び波長多重モジュール２１６ａの一端に対応させて設けた出光用導光部品２１８ａとを含む。該入光用導光部品２１７ａと出光用導光部品２１８ａは光ファイバーとしてもよく、入光用導光部品２１７ａと出光用導光部品２１８ａ間には強化部２１９ａを設ける。その内、前記光反射及び波長多重モジュール２１６ａは具体的にはプリズムであり、プリズムに進入する光源を屈曲させる機能を提供する。また、光反射及び波長多重モジュール２１６ａ或いは出光用導光部品２１８ａ或いは入光用導光部品２１７ａはエンコード機能を備える。
【００２６】
使用時には、鍵２ａの入光用導光部品２１７ａ、出光用導光部品２１８ａ、及び強化部２１９ａを同時に錠１ａの鍵穴１３ａ内に差し込むことにより、作動ユニット１２ａの発光ユニット１２３ａは電池１２３２ａを用いて発光体１２３１ａを発光させ、光源が入光用導光部品２１７ａに伝えられ、光波は光反射及び波長多重モジュール２１６ａに導かれ、処理後は、更に光波は出光用導光部品２１８ａから作動ユニット１２ａのセンサー１２４ａに伝えられる。この時、センサー１２４ａがこれらの光波を受け取り、センサー１２４ａは解錠ユニット２１ａに対して、感知、判断確認を行った後、作動ユニット１２ａが施錠ユニット１１ａを解除し、解錠動作を完成させる。
【００２７】
前述をまとめると、本発明の光学施錠機構は公知の諸々の欠点を効果的に改善し、錠と鍵間の信号の解読及び遮断を起こし難く、複製及び老朽化の問題がなく、効果的な盗難防止とコスト削減を実現する効果を備える。さらに、本発明の効果を更に進歩させ、更に実用化し、さらに消費者の使用における要望に符合し、確実に特許出願の要件を満たすものである故、ここに特許法に基づき出願を行う。
【００２８】
前述は、単に本発明の好ましい実施例であり、これによって本発明の実施範囲を制限することはできない。よって、特許登録請求の範囲及び説明書の内容に基づいて行った同等効果を有する簡単な変化や修飾はすべて本発明の特許に含まれる範囲に属するものとする。
【符号の説明】
【００２９】
１    錠
１ａ    錠
１１    施錠ユニット
１１ａ  施錠ユニット
１２    作動ユニット
１２ａ  作動ユニット
１２１  センサー
１２２  反射板
１２３ａ  発光ユニット
１２３１ａ  発光体
１２３２ａ  電池
１２４ａ  センサー
１３    鍵穴
１３ａ  鍵穴
２    鍵
２ａ    鍵
２１    解錠ユニット
２１ａ  解錠ユニット
２１１  発光ユニット
２１１１  発光体
２１１２  電池
２１２  スイッチ
２１３  導光部品
２１４  エンコード用導光部品
２１５  エンコード用反射板
２１６ａ  光反射及び波長多重モジュール
２１７ａ  入光用導光部品
２１８ａ  出光用導光部品
２１９ａ  強化部
【図１】
0005675702.tif 000002
【図２】
0005675702.tif 000003